(57)【要約】【課題】十分な緩衝効果が得られ、スラット塗膜の傷つけ、スレによる経年劣化、騒音の発生の抑止効果が増大し、しかも、リンク覆い部材の汎用性も高まる開放型カーテンを得る。【解決手段】多段の桟棒１７と吊下げリンク板１５との連結により形成した素透しのグリルカーテン１３と、複数のスラット２２同士の連結により形成したスラットカーテン１５とを連結してなる開放型カーテン１１において、上下の吊下げリンク板２５間の枢結接続部を貫通した桟棒１７の該貫通部の左右に外挿する断面円形状の左右一対の耳部３３ａと、この一対の耳部３３ａ間を桟棒１７の軸線に沿って接続結合した当り板３３ｂとを軟質材料によって一体成型したリンク覆い部材３３が、各桟棒１７と各吊下げリンク板２５とのジョイント部分３１に付設される。【選択図】      図３
2004156208.tif 000002
【特許請求の範囲】
【請求項１】
多段の桟棒と吊下げリンク板との連結により形成した素透しのグリルカーテンと、複数のスラット同士の連結により形成したスラットカーテンとを連結してなる開放型カーテンにおいて、
上下の吊下げリンク板間の枢結接続部を貫通した桟棒の該貫通部の左右に外挿する断面円形状の左右一対の耳部と、該一対の耳部間を桟棒の軸線に沿って接続結合した軟質材料よりなる当り板とを一体成型したリンク覆い部材が、前記各桟棒と前記各吊下げリンク板とのジョイント部分に付設されることを特徴とする開放型カーテン。
【請求項２】
請求項１記載の開放型カーテンにおいて、
前記軟質材料が、ゴム材料であることを特徴とする開放型カーテン。
【請求項３】
請求項１又は２記載の開放型カーテンにおいて、
巻取時に巻取方向で隣接する前記リンク覆い部材同士の間隙が、前記スラットの巻取方向の幅寸法より小さくなるように、前記リンク覆い部材の巻取方向の幅寸法を大きく設定したことを特徴とする開放型カーテン。
【請求項４】
請求項１記載の開放型カーテンにおいて、
前記リンク覆い部材が、硬質樹脂材料からなる一対の耳部と、該一対の耳部間を接続結合したゴム材料からなる当り板との複合構造であることを特徴とする開放型カーテン。
【請求項５】
請求項１記載の開放型カーテンにおいて、
前記一対の耳部と前記当り板とが、軟質樹脂材料によって一体成型されたことを特徴とする開放型カーテン。
【請求項６】
請求項４又は５記載の開放型カーテンにおいて、
前記一対の耳部が、桟棒の前記貫通部の左右に半径方向から外嵌する断面半円形状に形成されたことを特徴とする開放型カーテン。
【請求項７】
請求項１，２，３，４，５のいずれか１つに記載の開放型カーテンにおいて、
前記桟棒に外挿した化粧パイプの端部を挿入する段部が、前記一対の耳部のそれぞれの外側面に形成されたことを特徴とする開放型カーテン。
【請求項８】
請求項１〜請求項７のいずれか１項記載の開放型カーテンにおいて、
少なくとも巻取状態にて前記スラットに接触する前記ジョイント部分にのみ前記リンク覆い部材を付設したことを特徴とする開放型カーテン。
【発明の詳細な説明】
【０００１】
【発明の属する技術分野】
本発明は、開放部を形成するグリルカーテンと、スラットカーテンとを連結した開放型カーテンに関する。
【０００２】
【従来の技術】
例えばシャッターのカーテンには、通気性、採光性を確保するために、カーテンの上部、中間部或いは下部に素透しとなる開放部を設けた開放型カーテンがある。
この出願の発明に関連する先行技術文献情報としては次のものがある。
【０００３】
【特許文献１】
実公平０５−２７６７４号公報
【０００４】
この種のカーテンの構造において、上半部を成すグリルカーテンは、シャッターの横幅に全通する多段の桟棒、例えばパイプ材と、上下の各桟棒間を連結する吊下げリンク板であって、左右間隔が略等ピッチ位置に垂下された多列の吊下げリンク板とにより網目状に形成されたものであり、一方、カーテンの下半部は、短冊板状のスラットよりなるスラットカーテンで形成されている。このため、シャッターを開く際に、カーテンを巻取ドラムにて巻き取り収納する際には、先ずグリルカーテンがドラムに巻き付けられた後、引続いて下半部のスラットカーテンがその上に重なった状態で巻き取られる。
【０００５】
ところで、グリルカーテンがシャッターの開放初期（巻き初め）にドラムに巻付けられた状態では、前後に連続するリンクの枢結部が、ドラムの巻取径寸と各リンクの長さとの関連で決まる角度だけドラムの中心寄りに折込まれ、これによりリンクの折込み部分が遠心方向に角張って突出することになる。このことから、引続き巻込まれてグリルカーテンに重合するスラットカーテンの各スラットは、必然的にスラットの内面がリンクの上記突出部に当り、スラット面がリンクの突出部との金属当りにより傷つけられる虞があった。
【０００６】
このような問題を解消するために、上記特許文献１に開示されるカーテン１は、上半のグリルカーテン２と、下半のスラットカーテン３との連綴で形成されていて、グリルカーテン２の上端の桟棒４は、吊元スラット５に係合する継板６に保持される一方、下端の桟棒４は、下半のスラットカーテン３の上端のスラット７に係合する継板６に取付けられており、このカーテン１は、屋外面を外側とする巻回方向に巻取ドラムに巻取られるようになっている。
【０００７】
各桟棒４は、吊下げリンク板８によって上下に連結されているが、これらの各リンク８は、外嵌リンク材８Ａと内嵌リンク材８Ｂとが交互に入れ違いに連綴されたものである。各リンク８の端部には、アイ８ａが穿開された上で、各リンク８間は、アイリングによって折れ込み自在に枢結、接続されていて、かつそのアイ８ａは、各段の桟棒４が貫通している。
【０００８】
このグリルカーテン２においては、アイ８ａの各ジョイント部分に樹脂材料で一体成型されたナックルピース９（図１５参照）が付設されていて、同ナックルピース９は、左右の耳部９ａと、両耳部９ａの相互間を桟棒４の軸線に沿って結合させる当り板９ｂとが一体化された成型部品であって、かつその耳部９ａは、弧間が切落とされた略半円形状を成すとともに、貫通する桟棒４に遊嵌、外嵌しており、なお、外嵌リンク材８Ａの外側面との間には、若干のクリアランスが空いており、これによりナックルピース９は、ジョイント部分に遊嵌して揺動自在となっている。
【０００９】
このように、ナックルピース９が付設されたカーテン１においては、カーテン１が巻取ドラムに巻込まれた図１６の状態では、グリルカーテン２に重合する各スラット７の板面は、ナックルピース９の当り板９ｂに当って金属当りの現象を生じることがなく、したがって、スラット７が破傷されにくい。
【００１０】
【発明が解決しようとする課題】
しかしながら、上記した従来のカーテンは、ナックルピースに硬質樹脂材料を使用していたため、十分な緩衝効果が得られないことがあり、スラット塗膜の傷つけ、スレによる経年劣化の抑止効果が低く、スラットの寿命が短くなる虞があり、これに加え、接触時に騒音の発生する虞もあった。そして、リンク覆い部材の耳部が断面半円形状となる嵌着タイプであったため、耳部径と桟棒径を一致させなければならず、径違いの桟棒にはガタツキ・外れが生じてリンク覆い部材を使用することができず、リンク覆い部材の汎用性が低い不利があった。
【００１１】
また、巻取時に巻取方向で隣接するリンク覆い部材同士の間隙がスラットの巻取方向の幅寸法より大きくなるため、巻取時、リンク覆い部材同士の間にスラットが落ち込んで、吊下げリンク板に接触することがあり、ジョイント部分以外の接触による傷つきが発生する虞があった。
さらに、スラットの落ち込みが発生すれば、グリルカーテンにスラットカーテンが巻かれる際の巻形も乱れが生じる虞があった。
【００１２】
本発明は上記状況に鑑みてなされたもので、その第一の目的は、十分な緩衝効果が得られ、スラット塗膜の傷つけ、スレによる経年劣化、騒音の発生の抑止効果が増大し、しかも、リンク覆い部材の汎用性も高まる開放型カーテンを得ることにある。また、その第二の目的は、巻取時、リンク覆い部材同士の間にスラットが落ち込んで、傷つきや、巻形の乱れを防止した開放型カーテンを得ることにある。
【００１３】
【課題を解決するための手段】
次に、上記の課題を解決するための手段を、実施の形態に対応する図面を参照して説明する。
この発明の請求項１記載の開放型カーテン１１は、多段の桟棒１７と吊下げリンク板２５との連結により形成した素透しのグリルカーテン１３と、複数のスラット２２同士の連結により形成したスラットカーテン１５とを連結してなる開放型カーテン１１において、
上下の吊下げリンク板２５間の枢結接続部を貫通した桟棒１７の該貫通部の左右に外挿する断面円形状の左右一対の耳部３３ａと、該一対の耳部３３ａ間を桟棒１７の軸線に沿って接続結合した軟質材料よりなる当り板３３ｂとを一体成型したリンク覆い部材３３が、前記各桟棒１７と前記各吊下げリンク板２５とのジョイント部分３１に付設されることを特徴とする。
【００１４】
この開放型カーテン１１では、例えば、上半がグリルカーテン１３とされ下半がスラットカーテン１５とされる構成の場合に、リンク折れ込み時に角張って突出するジョイント部分３１の外周側が当り板３３ｂで覆われることとなり、ジョイント部分３１が直接スラット２２に当ることがない。そして、リンク覆い部材３３が軟質材料からなるので、硬質樹脂製のナックルピースでは発生の抑止効果が低かったスラット塗膜の傷つけ、スレによる経年劣化の抑止効果が増大し、これに加え、接触時の騒音の抑止効果も増大する。また、リンク覆い部材３３の耳部３３ａが断面円形状となるので、耳部径を最大の桟棒径に対応させて設定することで、径の違いによるがたはあっても傷防止機能が低下することはなく、それ以下の桟棒１７への使用が可能となり、リンク覆い部材３３の汎用性が高められる。
【００１５】
請求項２記載の開放型カーテンは、請求項１記載の開放型カーテン１１において、
前記軟質材料が、ゴム材料であることを特徴とする。
【００１６】
この開放型カーテンでは、硬質樹脂材料に比べて大きな緩衝効果が比較的安価に得られる。
【００１７】
請求項３記載の開放型カーテンは、請求項１又は２記載の開放型カーテン１１において、
巻取時に巻取方向で隣接する前記リンク覆い部材３３同士の間隙Ｋが、前記スラット２２の巻取方向の幅寸法Ｓより小さくなるように、前記リンク覆い部材３３の巻取方向の幅寸法Ｗを大きく設定したことを特徴とする。
【００１８】
この開放型カーテンでは、巻取時、リンク覆い部材同士の間にスラット２２が落ち込んで、吊下げリンク板２５に接触することを防止し、ジョイント部分３１以外の接触による傷つきが防止される。また、スラット２２の落ち込みが防止されるので、グリルカーテン１３にスラットカーテン１５が巻かれる際の巻形も安定する。
【００１９】
請求項４記載の開放型カーテンは、請求項１記載の開放型カーテン１１において、
前記リンク覆い部材４１が、硬質樹脂材料からなる一対の耳部４１ａと、該一対の耳部４１ａ間を接続結合したゴム材料からなる当り板４１ｂとの複合構造であることを特徴とする。
【００２０】
この開放型カーテンでは、スラット２２に接触するジョイント部分３１がゴム材料からなる当り板４１ｂで覆われ、高い傷つき防止効果が得られるとともに、リンク覆い部材４１の取付け部となる耳部４１ａには高強度の硬質樹脂材料が使用されて、取り付け強度・耐久性が高まる。
【００２１】
請求項５記載の開放型カーテンは、請求項１記載の開放型カーテンにおいて、前記一対の耳部５１ａと前記当り板５１ｂとが、軟質樹脂材料によって一体成型されたことを特徴とする。
【００２２】
この開放型カーテンでは、硬質樹脂材料では得られない傷つき防止効果及び騒音防止効果が得られるとともに、ゴム材料では得られない取り付け強度及び耐久性が、同時に得られる。
【００２３】
請求項６記載の開放型カーテンは、請求項４又は５記載の開放型カーテンにおいて、
前記一対の耳部５１ａが、桟棒１７の前記貫通部の左右に半径方向から外嵌する断面半円形状に形成されたことを特徴とする。
【００２４】
この開放型カーテンでは、耳部５１ａが弾性変形されてジョイント部分３１に対して着脱可能となり、シャッターのカーテンを分解せずに、リンク覆い部材５１が交換可能となる。
【００２５】
請求項７記載の開放型カーテンは、請求項１，２，３，４，５のいずれか１つに記載の開放型カーテンにおいて、
前記桟棒１７に外挿した化粧パイプ６３の端部６３ａを挿入する段部６５が、前記一対の耳部６１ａのそれぞれの外側面６７に形成されたことを特徴とする。
【００２６】
この開放型カーテンでは、桟棒１７に外挿した化粧パイプ６３の端部６３ａを挿入する段部６５が、一対の耳部６１ａのそれぞれの外側面６７に形成され、化粧パイプ６３の端部６３ａがリンク覆い部材６１に進入して、見栄えのよい組み付けが可能となる。
【００２７】
請求項８記載の開放型カーテンは、請求項１〜請求項７のいずれか１項記載の開放型カーテンにおいて、
少なくとも巻取状態にて前記スラット２２に接触する前記ジョイント部分３１にのみ前記リンク覆い部材３３（又は４１，５１，６１）を付設したことを特徴とする。
【００２８】
この開放型カーテンでは、リンク覆い部材３３（又は４１，５１，６１）の使用数が必要最小限となり、シャッターカーテン全体のコストが安くなる。
【００２９】
【発明の実施の形態】
以下、本発明に係る開放型カーテンの好適な実施の形態を図面を参照して詳細に説明する。
図１は本発明に係る開放型カーテンの第一の実施の形態を表す前面図、図２は図１のＩＩＩ  部拡大図、図３は同側面図、図４は図２のＩＶ−ＩＶ矢視図、図５はリンク覆い部材の斜視図、図６は巻取ドラムに巻込まれた状態におけるグリルカーテンとスラットカーテンの側面図である。
【００３０】
この開放型カーテン１１は、上半のグリルカーテン１３と、下半のスラットカーテン１５との連綴で形成されていて、グリルカーテン１３の上端の桟棒１７は、吊元スラット１９に係合する継板２１に保持される一方、下端の桟棒１７は、下半のスラットカーテン１５の上端のスラット２２に係合する継板２１に取付けられており、このカーテン１１は、外巻き方向に巻取ドラム２３に巻き取られるようになっている。
【００３１】
各桟棒１７は、吊下げリンク板２５によって上下に連結されているが、これらの各吊下げリンク板２５は、外嵌リンク材２５Ａと内嵌リンク材２５Ｂとが交互に入れ違いに連綴されたものである。各吊下げリンク板２５の端部には、アイ２５ａが穿開された上で、各吊下げリンク板２５間は、アイリングによって折れ込み自在に枢結、接続されていて、かつそのアイ２５ａは、各段の桟棒１７が貫通している。
【００３２】
このグリルカーテン１３においては、アイ２５ａの各ジョイント部分３１に樹脂材料で一体成型されたリンク覆い部材３３（図５参照）が付設されている。リンク覆い部材３３は、上下の吊下げリンク板２５間の枢結接続部２６を貫通した桟棒１７の貫通部１７ａの左右に外挿する断面円形状の左右一対の耳部３３ａと、この一対の耳部３３ａ間を桟棒１７の軸線に沿って接続結合した当り板３３ｂとを軟質材料によって一体成型している。本実施の形態において、このリンク覆い部材３３は、各桟棒１７と各吊下げリンク板２５とのジョイント部分３１に付設される。
【００３３】
すなわち、従来のナックルピースは、硬質樹脂材料からなり、耳部が断面半円形状であったのに対し、本実施の形態によるリンク覆い部材３３は、軟質材料からなり、耳部３３ａが無端な断面円形状となっている。したがって、リンク覆い部材３３の桟棒１７への取り付けは、桟棒１７の端部から耳部３３ａを挿通して行われる。
【００３４】
リンク覆い部材３３は、軟質材料によって成型されている。この軟質材料としては、ゴム材料を好適に用いることができる。リンク覆い部材３３は、ゴム材料を用いることで、従来の硬質樹脂材料に比べて大きな緩衝効果が比較的安価に得られる。また、ゴム材料のなかでもシリコンゴムを用いることで、経年劣化に対する耐久性を高めることができる。
【００３５】
リンク覆い部材３３は、巻取方向の幅寸法Ｗを、従来のナックルピースに比べて大きく設定している。すなわち、図６に示すように、巻取時に巻取方向で隣接するリンク覆い部材３３同士の間隙Ｋが、スラット２２の巻取方向の幅寸法Ｓより小さくなるように、リンク覆い部材３３の巻取方向の幅寸法Ｗを大きく設定している。また、リンク覆い部材３３の各角部は、丸みを持たせて形成している。これにより、スラット２２の突出部２２ａの幅寸法がリンク覆い部材３３同士の間隙Ｋより小さくても、吊下げリンク板２５の両端に位置するリンク覆い部材３３が、当該スラット２２の上下に隣接するスラット２２に当接して、突出部２２ａがリンク覆い部材３３同士の間隙Ｋに落ち込まず、その結果、突出部２２ａが吊下げリンク板２５と接触しなくなる。
【００３６】
これにより、巻取時、リンク覆い部材３３同士の間にスラット２２が落ち込んで、吊下げリンク板２５に接触することがなくなり、ジョイント部分３１以外の接触による傷つきが確実に防止される。また、スラット２２の落ち込みがなくなるので、グリルカーテン１３にスラットカーテン１５が巻かれる際の巻形も安定することになる。
【００３７】
このように、本実施の形態による開放型カーテン１１によれば、リンク折れ込み時に角張って突出するジョイント部分３１の外周側が当り板３３ｂで覆われ、ジョイント部分３１が直接スラット２２に当ることがない。そして、リンク覆い部材３３が軟質材料からなるので、硬質樹脂製のナックルピースでは発生を防止することができなかったスラット塗膜の傷つけ、スレによる経年劣化が抑止され、これに加え、接触時の騒音も抑止される。
【００３８】
また、リンク覆い部材３３の耳部３３ａが断面円形状となるので、耳部３３ａの径を最大の桟棒１７の径に対応させて設定することで、径の違いによるがたはあっても傷防止機能が低下することはなく、それ以下の桟棒１７への使用が可能となり、リンク覆い部材３３の汎用性が高められることになる。
【００３９】
次に、本発明に係る開放型カーテンの第二の実施の形態を説明する。
図７は第二の実施の形態に用いられるリンク覆い部材の斜視図である。
この開放型カーテンは、上記第一の実施の形態のリンク覆い部材３３と異なるリンク覆い部材４１をジョイント部分３１に付設していることに特徴を有する。このリンク覆い部材４１は、硬質樹脂材料からなる一対の耳部４１ａと、この一対の耳部４１ａ間を接続結合したゴム材料からなる当り板４１ｂとの複合構造よりなる。
【００４０】
なお、耳部４１ａと当り板４１ｂとが別部材であれば、当り板４１ｂの一部分を、硬質樹脂材料により形成し、この硬質樹脂材料からなる当り板４１ｂと一体に一対の耳部４１ａを成型し、この硬質樹脂材料からなる当り板４１ｂの表面に、ゴム材料からなる当り板４１ｂの本体を貼着するものであってもよい。
【００４１】
この実施の形態による開放型カーテンによれば、スラット２２に接触するジョイント部分３１がゴム材料からなる当り板４１ｂで覆われ、高い傷つき防止効果が得られるとともに、リンク覆い部材４１の取付け部となる耳部４１ａには高強度の硬質樹脂材料が使用されて、取り付け強度・耐久性が高まる。
【００４２】
次に、本発明に係る開放型カーテンの第三の実施の形態を説明する。
図８は第三の実施の形態に用いられるリンク覆い部材の斜視図である。
この開放型カーテンは、上記第一の実施の形態のリンク覆い部材３３と異なるリンク覆い部材５１をジョイント部分３１に付設していることに特徴を有する。このリンク覆い部材５１は、上記第二の実施の形態のリンク覆い部材４１と同様に、硬質樹脂材料からなる一対の耳部５１ａと、この一対の耳部５１ａ間を接続結合したゴム材料からなる当り板５１ｂとの複合構造よりなり、さらに、一対の耳部５１ａが、桟棒１７の貫通部の左右に半径方向から外嵌する断面半円形状に形成されている。
【００４３】
この開放型カーテンによれば、耳部５１ａが弾性変形されてジョイント部分３１に対して着脱可能となり、シャッターのカーテンを分解せずに、リンク覆い部材５１が交換可能となるという効果を有する。
【００４４】
なお、本実施の形態におけるリンク覆い部材５１は、全体を軟質樹脂材料で成型してもよい。すなわち、一対の耳部５１ａと当り板５１ｂとを軟質樹脂材料によって一体成型してもよい。このような構成とすることで、硬質樹脂材料では得られない傷つき防止効果及び騒音防止効果が得られるとともに、ゴム材料では得られない取り付け強度及び耐久性が、同時に得られることになる。
【００４５】
次に、本発明に係る開放型カーテンの第四の実施の形態を説明する。
図９は第四の実施の形態に用いられるリンク覆い部材の斜視図、図１０は図９に示したリンク覆い部材を取り付けたジョイント部分の水平断面図である。
この開放型カーテンは、上記第一の実施の形態のリンク覆い部材３３と異なるリンク覆い部材６１をジョイント部分３１に付設していることに特徴を有する。このリンク覆い部材６１は、耳部６１ａと当り板６１ｂとの全体がゴム材料により一体成型される。そして、図１０に示す桟棒１７に外挿した化粧パイプ６３の端部６３ａを挿入する段部６５が、一対の耳部６１ａのそれぞれの外側面６７に形成されている。
【００４６】
この開放型カーテンによれば、桟棒１７に外挿した化粧パイプ６３の端部を挿入する段部６５が、一対の耳部６１ａのそれぞれの外側面に形成され、化粧パイプの端部６３ａがリンク覆い部材６１に進入して、見栄えのよい組み付けが可能となる。
そして、この段部６５を設ける構成は、上記した第一，第二，第三の各実施の形態のリンク覆い部材に用いても、同様の効果を得ることができる。
【００４７】
なお、上記した各実施の形態では、リンク覆い部材が、各ジョイント部分３１に付設される場合を説明したが、本発明にかかる開放型カーテンは、リンク覆い部材を、巻回状態における少なくともスラット２２に接触するジョイント部分３１にのみ付設するものであってもよい。このような構成とすれば、リンク覆い部材の使用数が必要最小限となり、シャッターカーテン全体のコストを安くすることができる。また、シャッターカーテンとしての幅長が短い場合などは、このリンク覆い部材を幅方向の全てのジョイント部分３１に設けなくてもよく、適宜その付設数を増減させることとしても良い。
【００４８】
また、上記した各実施の形態では、上半をグリルカーテン１３とし、下半をスラットカーテン１５として構成された例について述べたが、上半をスラットカーテンとし下半をグリルカーテン、或いは、上方と下方をスラットカーテンとし中途部分をグリルカーテンとして構成したものなど、種々の形態のシャッターカーテンとしてもよく、リンク覆い部材を設ける個所を、巻回状態とした際に、スラットカーテンと接触するジョイント部分３１に設けることとすれば、上記効果を得られるものである。
【００４９】
【発明の効果】
以上説明したように、本発明に係る請求項１記載の開放型カーテンによれば、グリルカーテンの桟棒と吊下げリンク板とのジョイント部分に、断面円形状の左右一対の耳部と、この耳部間を接続結合した軟質材料よりなる当り板とを一体成型したリンク覆い部材を付設したので、例えば、上半がグリルカーテンとされ下半がスラットカーテンとされる構成の場合の、各カーテンを巻き取る際に、リンク折れ込み時に角張って突出するジョイント部分の外周側が当り板で覆われ、ジョイント部分が直接スラットに当ることがない。
【００５０】
そして、リンク覆い部材が軟質材料からなるので、硬質樹脂製のナックルピースでは発生の抑止効果が低かったスラット塗膜の傷つけ、スレによる経年劣化の抑止効果が増大し、スラットがきれいな状態で使用することができるようになり、これに加え、接触時の騒音の抑止効果も増大できるようになる。
【００５１】
また、リンク覆い部材の耳部が断面円形状となるので、耳部径を最大の桟棒径に対応させて設定することで、径の違いによるがたはあっても傷防止機能が低下することはなく、それ以下の桟棒への使用が可能となり、リンク覆い部材の汎用性を高めることができる。
【００５２】
請求項２記載の開放型カーテンによれば、リンク覆い部材に使用する軟質材料をゴム材料としたので、硬質樹脂材料に比べて大きな緩衝効果を比較的安価に得ることができる。
【００５３】
請求項３記載の開放型カーテンによれば、巻取時に巻取方向で隣接するリンク覆い部材同士の間隙が、スラットの巻取方向の幅寸法より小さくなるように、リンク覆い部材の巻取方向の幅寸法を大きく設定したので、巻取時、リンク覆い部材同士の間にスラットが落ち込んで、吊下げリンク板に接触することを防止でき、ジョイント部分以外の接触による傷つきも防止できる。また、スラットの落ち込みがなくなるので、グリルカーテンにスラットカーテンが巻かれる際の巻形も安定させることができる。
【００５４】
請求項４記載の開放型カーテンによれば、リンク覆い部材が、硬質樹脂材料からなる一対の耳部と、この一対の耳部間を接続結合したゴム材料からなる当り板との複合構造であるので、スラットに接触するジョイント部分をゴム材料からなる当り板で覆って、高い傷つき防止効果が得られるとともに、リンク覆い部材の取付け部となる耳部には高強度の硬質樹脂材料を使用して取り付け耐久性を高めることができる。
【００５５】
請求項５記載の開放型カーテンによれば、一対の耳部と当り板とを軟質樹脂材料によって一体成型したので、硬質樹脂材料では得られない傷つき防止効果及び騒音防止効果が得られるとともに、ゴム材料では得られない取り付け強度及び耐久性がともに得られる。
【００５６】
請求項６記載の開放型カーテンによれば、一対の耳部が、桟棒の貫通部の左右に半径方向から外嵌する断面半円形状に形成されたので、耳部を弾性変形させてジョイント部分に対して着脱することができ、シャッターのカーテンを分解せずに、リンク覆い部材を交換することができる。
【００５７】
請求項７記載の開放型カーテンによれば、桟棒に外挿した化粧パイプの端部を挿入する段部が、一対の耳部のそれぞれの外側面に形成されたので、化粧パイプの端部をリンク覆い部材に挿入させて、見栄えよく組み付けることができる。
【００５８】
請求項８記載の開放型カーテンによれば、少なくともスラットに接触するジョイント部分にのみリンク覆い部材を付設したので、リンク覆い部材の使用数を必要最小限として、シャッターカーテン全体のコストも安くすることができる。
【図面の簡単な説明】
【図１】本発明に係る開放型カーテンの第一の実施の形態を表す前面図である。
【図２】図１のＩＩＩ  部拡大図である。
【図３】同側面図である。
【図４】図２のＩＶ−ＩＶ矢視図である。
【図５】図１に示したリンク覆い部材の斜視図である。
【図６】巻取ドラムに巻込まれた状態におけるグリルカーテンとスラットカーテンの側面図である。
【図７】第二の実施の形態に用いられるリンク覆い部材の斜視図である。
【図８】第三の実施の形態に用いられるリンク覆い部材の斜視図である。
【図９】第四の実施の形態に用いられるリンク覆い部材の斜視図である。
【図１０】図９に示したリンク覆い部材を取り付けたジョイント部分の水平断面図である。
【図１１】従来の開放型カーテンを表す前面図である。
【図１２】図１１のＩ部拡大図である。
【図１３】同側面図である。
【図１４】図１２のＩＩ−ＩＩ矢視図である。
【図１５】図１１に示したナックルピースの斜視図である。
【図１６】従来の開放型カーテンにおける、巻取ドラムに巻込まれた状態のグリルカーテンとスラットカーテンの側面図である。
【符号の説明】
１１…開放型カーテン
１３…グリルカーテン
１５…スラットカーテン
１７…桟棒
２２…スラット
２５…吊下げリンク板
３１…ジョイント部分
３３，４１，５１，６１リンク…覆い部材
３３ａ，４１ａ，５１ａ，６１ａ…耳部
３３ｂ，４１ｂ，５１ｂ，６１ｂ…当り板
６３…化粧パイプ
６５…段部
６７…外側面
Ｋ…リンク覆い部材同士の間隙
Ｓ…スラットの巻取方向の幅寸法
Ｗ…リンク覆い部材の巻取方向の幅寸法
【図１】
2004156208.tif 000003
【図２】
2004156208.tif 000004
【図３】
2004156208.tif 000005
【図４】
2004156208.tif 000006
【図５】
2004156208.tif 000007
【図６】
2004156208.tif 000008
【図７】
2004156208.tif 000009
【図８】
2004156208.tif 000010
【図９】
2004156208.tif 000011
【図１０】
2004156208.tif 000012
【図１１】
2004156208.tif 000013
【図１２】
2004156208.tif 000014
【図１３】
2004156208.tif 000015
【図１４】
2004156208.tif 000016
【図１５】
2004156208.tif 000017
【図１６】
2004156208.tif 000018